(57)【要約】      （修正有）【課題】配電盤の屋根構造において庇板を任意の取付角度に調整可能とする。【解決手段】電気機器が収納される屋外形配電盤の筺体の屋根は、屋根板本体１６ａと庇板１４とを備えている。この屋根板本体は、前側Ｆから後側Ｂに向かって下り勾配が施されている一方、庇板１４は、屋根板本体と別体で構成され、屋根枠１６ｃの端部にピン２１を介して回動自在に軸支されている。この庇板１４は、屋根板１６の傾斜角度に応じて任意の取付角度に調整でき、調整後に庇内板２５および連結金具を用いて取付角度が固定される。【選択図】図４
2019170047.tif 000002
【特許請求の範囲】
【請求項１】
電気機器を収納する配電盤の屋根構造であって、
前記電気機器が収納される筺体の屋根を構成する屋根板と、
前記屋根板と別体で構成され、かつ前記屋根板の端部に任意の取付角度に調整可能に連結された庇板と、
を備えることを特徴とする配電盤の屋根構造。
【請求項２】
前記屋根板に前記筺体の一方側から他方側に向かって傾斜が施され、
前記庇板は、前記屋根板の傾斜角度に応じて取付角度を調整可能なことを特徴とする請求項１記載の配電盤の屋根構造。
【請求項３】
前記庇板は、前記屋根板の端部に回動自在に連結されていることを特徴とする請求項１または２記載の配電盤の屋根構造。
【請求項４】
前記取付角度の調整後に
前記庇板の取付角度を固定する固定部材をさらに備える
ことを特徴とする請求項１から３のいずれかに記載の配電盤の屋根構造。
【請求項５】
前記屋根板は、前記配電盤の吊下げ用の複数のアイボルトを備え、
前記アイボルトは、前記屋根板に任意の取付角度に調整可能に取り付けられている
ことを特徴とする請求項１〜４のいずれかに記載の配電盤の屋根構造。
【発明の詳細な説明】
【技術分野】
【０００１】
本発明は、例えば電力変換装置などの電気機器を収納する配電盤の屋根構造に関する。
【背景技術】
【０００２】
例えば特許文献１の屋外形配電盤などは、内部に電力変換器などの電気機器を収納する筺体を備えている。図１に基づき前記筺体の屋根構造を説明すれば、前記筺体の天井部を構成する長方形状の屋根板１と、屋根板１の両端部から下方向に折曲形成された庇部分２とを備えている。
【０００３】
このとき屋根板１には、前記筺体の前側Ｆから後側Ｂに下り勾配の傾斜が施されている。また、屋根板１の両端部と庇部分２とによって前記筺体の逆Ｌ字状の庇を構成している。
【先行技術文献】
【特許文献】
【０００４】
【特許文献１】特開２０１３−９４０１３
【発明の概要】
【発明が解決しようとする課題】
【０００５】
従来の屋外形配電盤の屋根構造は、屋根板１と庇部分２とが一枚板構造なため、以下のような問題が生じるおそれがあった。
【０００６】
（１）従来、庇部分２は一枚の屋根板１に対する曲げ加工により製作されていた。このとき屋外形配電盤の奥行寸法（前記筺体の前側Ｆ・後側Ｂ間の長さ）の変化に応じて屋根板１の傾斜角度が異なるため、庇部分２の曲げ角度が製作の都度に指定されて板金曲げ加工が施されていた。
【０００７】
しかしながら、庇部分２の図面などによる指示が煩雑なため、板金曲げ加工のミスが生じる場合がある。この場合、従来は屋根板１と庇部分２とが一枚板なため、その全体を製作し直さなければならず、製作の遅延や製作コストなどの悪化のおそれがあった。
【０００８】
また、製作の度に庇部分２の曲げ角度が指定され、その指定に応じて板金曲げ加工を施していたため、設計工程が増加し、設計変更に対しての処理に時間かかり、この点でも製作の遅延を生じるおそれがあった。
【０００９】
（２）従来の庇部分２を含めた屋根板１の一枚板構造では、奥行寸法が長い場合に板金の定尺寸法が加工できず、庇部分２を溶接で継ぎ足すなど追加の工程が必要な場合があり、これにより製作工程が増加し、コストが悪化するおそれがあった。
【００１０】
本発明は、このような従来の問題を解決するためになされ、配電盤の屋根構造について一枚板構造を廃止し、庇部分を任意の取付角度に調整可能な構造の提供を解決課題としている。
【課題を解決するための手段】
【００１１】
（１）本発明は、電気機器を収納する配電盤の屋根構造であって、
前記電気機器が収納される筺体の屋根を構成する屋根板と、
前記屋根板と別体で構成され、かつ前記屋根板の端部に任意の取付角度に調整可能に連結された庇板と、を備えることを特徴としている。
【００１２】
（２）本発明の一態様は、前記屋根板に前記筺体の一方側から他方側に向かって傾斜が施され、前記庇板は、前記屋根板の傾斜角度に応じて取付角度を調整可能なことを特徴としている。
【００１３】
（３）本発明の他の態様は、前記庇板が前記屋根板の端部に回動自在に連結されていることを特徴とする請求項１または２記載の配電盤の屋根構造。
【００１４】
（４）本発明のさらに他の態様は、前記取付角度の調整後に前記庇板の取付角度を固定する固定部材をさらに備えることを特徴としている。
【００１５】
（５）本発明のさらに他の態様は、前記屋根板が前記配電盤の吊下げ用の複数のアイボルトを備え、前記アイボルトは、前記屋根板に任意の取付角度に調整可能に取り付けられていることを特徴としている。
【発明の効果】
【００１６】
本発明によれば、配電盤の屋根の庇部分を任意の取付角度に調整できるため、屋根の一枚板構造を採用する必要なくなる。
【図面の簡単な説明】
【００１７】
【図１】従来の配電盤の屋根構造を示す断面図。
【図２】本発明の実施形態に係る屋外形配電盤の斜視図。
【図３】同  屋根構造を示す斜視図。
【図４】同  縦断面図。
【図５】（ａ）は庇板の取付角度の調整状態を示す部分拡大図、（ｂ）は庇板の取付角度の調整後に固定部材で取付位置を固定した状態を示す部分拡大図。
【図６】同  庇板の固定状態およびアイボルトの取付状態を示す部分拡大図。
【図７】他例を示す庇の拡大側面図。
【発明を実施するための形態】
【００１８】
以下、本発明の実施形態に係る配電盤の屋根構造を説明する。ここでは屋外に設置される図２中の屋外形配電盤１０への前記屋根構造の適用例を説明する。この屋外形配電盤１０は、電力変換装置などの電気機器を収容する筺体１２と、筺体１２の屋根１３とを備えている。
【００１９】
≪屋根１３の構成例≫
図３〜図６に基づき屋根１３の構成例を説明する。この屋根１３は、図３に示すように、筺体１２の上部フレーム１２ａに設置された一対の屋根部材１５を備えている。
【００２０】
この各屋根部材１５は、前側Ｆから後側Ｂに向かって下り勾配の傾斜が施され（図４参照）、略長方形状の屋根板１６と、屋根板１６の両端部（対向する短辺側の端部）にピン締結構造により連結された庇板（庇部分）１４と、屋根板１６に設置された複数のアイボルト１９とを備えている。
【００２１】
ここでは従来と同様に屋根板１６の両端部と庇板１４とで筺体１２の逆Ｌ字状の庇を構成しているものの、庇板１４は屋根板１６と一体形成されていなく、別体（別部品）として構成されている。
【００２２】
（１）屋根板１６
屋根板１６は、図３および図４に示すように、平板状の屋根板本体１６ａと、屋根板本体１６ａの両端部（他行する短辺側の端部）に下方向に折曲形成された折り返し部１６ｂ（図４および図５参照）と、屋根板本体１６ａの各側端部（対向する長辺側の端部）に立設された逆Ｌ字状の屋根枠１６ｃとを有している。
【００２３】
ここでは両屋根部材１５同士は、互いに対向する屋根枠１６ｃを連結（ねじ止め／リベット止め）することで接合されている。この各屋根枠１６ｃには側面枠１７の上部が固定（ねじ止め／リベット止め）されている一方、各側面枠１７の下部は筺体１２の上部フレーム１２ａにねじ止めされている。
【００２４】
なお、両側面枠１７の両端部間が支持枠１８により連結され、各支持枠１８は筺体１２の底面１２ｂに対して垂直に配置されている。
【００２５】
（２）庇板１４
各庇板１４は、図３〜図６に示すように、横長の略長方形状の庇板本体１４ａと、板本体１４ａの各端部にＬ字状に折曲形成された取付部１４ｂと、を有している。この各取付部１４ｂは、屋根枠１６ｃにリベットなどのピン２１を介して図５（ａ）中の矢印Ｘ−Ｙ方向に回動自在に軸支され、庇板本体１４ａを任意の取付角度に調整可能としている。
【００２６】
ここでは図５（ａ）（ｂ）に示すように、庇板本体１４ａは支持枠１８に対向して配置され、両者１４ａ，１８間に庇空間（庇内部）Ｃが形成されている。この支持枠１８の庇板本体１４ａへの対向面には縦断面チャンネル状の雨受板２６が溶接・ねじ止めなどの手段で固定され、雨受板２６の底板２６ａには縦断面クランク状の庇内板２５の一端部（Ｐ側端部）がねじ止めされている。
【００２７】
そして、庇板本体１４ａの取付角度の調整後は、図５（ｂ）に示すように、連結金具３０の一端部３０ａが庇板本体１４ａにねじ止めされる一方、連結金具の３０の他端部３０ｂが庇内板２５の他端部（Ｑ側端部）にねじ止めされ、これにより庇板本体１４ａの取付角度（取付位置）が固定される。なお、庇板本体１４ａの幅方向Ｓ−Ｔ（図３参照）の長さと、雨受板２６および庇内板２５の幅方向Ｓ−Ｔの長さとは略同等に設定されている。
【００２８】
また、庇板本体１４ａは折り返し部１６ｂの内側に配置されているため、庇板本体１４ａの上部（庇回動部）外面を折り返し部１６ｂで覆うことができる。これにより庇板本体１４ａの上部外面が折り返し部１６ｂにシールされ、外部から庇内部（庇空間）Ｃへの風雨などの侵入が防止される。
【００２９】
（３）アイボルト１９
屋根板本体１４ａの両端部側（短辺側）には、図３および図４に示すように、それぞれ一対のアイボルト１９がピン締結構造により取り付けられている。このアイボルト１９は、配電盤１０を図示省略のクレーンなどで吊り下げる際にワイヤロープのフックが頭部１９ａに引っ掛けられる。
【００３０】
このアイボルト１９は、図４および図６に示すように、縦断面逆Ｕ字状の固定金具２７と連結ピン２８とナット２９とを用いて屋根板本体１４ａに固定されている。
【００３１】
この固定金具２７は底板２７ａと側板２７ｂ〜２７ｄとを有し、底板２７ａにはアイボルト１９の軸部（雄ねじ部）１９ｂが挿通される図示省略の挿通孔が形成されている。また、側板２７ｂは、屋根板本体１４ａの裏面１４ｄに形成された図示省略の取付部にリベットなどのピン２８で回動自在に連結されている。
【００３２】
ここでは側板２７ｂを前記取付部にピン止めした後に前記挿通孔に挿通されたアイボルト１９の軸部１９ｂにナット２９が締結される。これによりアイボルト１９はピン２８により回動自在に軸支され、取付角度の調整が可能となる。
【００３３】
≪作用・効果の説明≫
（１）屋根１３の構造によれば、庇板１４と屋根板１６とは別体（別部品）で構成されている。したがって、屋外形配電盤１０の設置後などに屋根板１６の傾斜角度に応じた庇板１４の取付角度の調整が行われる。
【００３４】
すなわち、図５（ａ）に示すように、庇板本体１４ａを庇内板２５の他端部（Ｑ側の端部）に当たるまでＹ方向に回動させる。このとき庇内板２５の一端部（Ｐ側の端部）は雨受板２６の底板２６ａに９０度の角度で立設されているため、庇内板２５は筺体１２の底面１２ｂと水平状態に固定されている。
【００３５】
したがって、庇板本体１４ａが庇内板２５の他端部に当たる位置は、庇本体１４ａの垂直位置となる。この垂直位置の状態のまま、図５（ｂ）に示すように、連結金具３０の両端部３０ａ，３０ｂａにねじ止めし、庇板本体１４ａを庇内板２５の他端部に連結する。
【００３６】
これにより庇板本体１４ａを垂直状態のまま固定することができ、その結果、従来のように屋根板１６と庇板１４とを一枚構造とする必要がない。この屋根構造によれば、以下の効果を得ることができる。
【００３７】
Ａ：屋根１３は、ピン締結構造により庇板本体１４ａを回動自在としたため、屋根板１６のいかなる傾斜角度についても庇板本体１４ａを任意の傾斜角度のまま固定することができる。このとき庇板１４の取り付けに必要な部品は共通化でき、この点で部品標準化が可能となる。
【００３８】
Ｂ：図１の屋根構造においては、庇部分２は一枚の屋根板１に対する曲げ加工により製作されていた。このとき屋根の奥行寸法の変化に応じて屋根板１の傾斜角度が異なるため、庇部分２の取付角度が製作の都度に指定されて板金曲げ加工が施されていた。
【００３９】
これに対して屋根１３の構造によれば、屋外形配電盤１０の設置後に屋根板１６の傾斜角度に応じて庇板本体１４ａの取付角度を調整できるため、従来のように庇板本体１４ａを製作の度に指定して板金曲加工する必要が無い。
【００４０】
したがって、屋根１３の構造によれば、庇部分の曲げ加工ミスによる製作のやり直しの必要が無く、この点の製作の遅延やコストの悪化を抑制することができる。また、庇板１４の板金曲げ加工が必要なく、設計工数の増加なども抑えることができる。
【００４１】
Ｃ：図１の一枚板構造においては、屋根板１の奥行き寸法が長い場合に板金の定尺寸法が加工できず、庇部分２を溶接で継ぎ足すなど追加の工程が必要な場合があった。
【００４２】
これに対して屋根１３の構造によれば、庇板１４と屋根板１６とは別体なため、溶接で継ぎ足す必要は無く、この点で製作工程の増加やコストの抑制を図ることができる。
【００４３】
（２）また、屋根１３の構造によれば、アイボルト１９をピン締結構造により取り付けられている。これによりアイボルト１９は、屋根板１６の傾斜角度に応じて取付角度を自在に調整可能とされている。このアイボルトの取付方式に必要な部品も共通化でき、この点でも部品標準化が可能となる。
【００４４】
なお、本発明は、上記実施形態に限定されるものではなく、各請求項に記載された範囲内で変形して実施することができる。例えば庇板本体１４ａの取付角度は垂直状態に限らず、任意の取付角度に調整することができる。すなわち、庇板本体１４ａの取付角度に応じて庇内板２５の長さを調整すれば、庇板本体１４ａを任意の取付角度の状態で固定することができる。
【００４５】
また、アイボルト１９のピン締結構造は必ずしも採用する必要は無く、庇板１４のピン締結構造のみの採用でもよいものとする。この場合のアイボルト１９は従来と同様な手法により屋根板１６に固定すればよい。さらに図７に示すように、雨受板２６により継ぎ目Ｄを隠してシールしてもよい。
【符号の説明】
【００４６】
１０…屋外形配電盤（配電盤）
１２…筺体
１４…庇板
１４ａ…庇板本体
１４ｂ…取付部
１６…屋根板
１６ｂ…折り返し部
１６ｃ…屋根枠
１９…アイボルト
２１，２８…ピン（軸部材）
２５…庇内板（固定部材）
３０…連結金具（固定部材）
【図１】
2019170047.tif 000003
【図２】
2019170047.tif 000004
【図３】
2019170047.tif 000005
【図４】
2019170047.tif 000006
【図５】
2019170047.tif 000007
【図６】
2019170047.tif 000008
【図７】
2019170047.tif 000009